(57)【要約】【課題】メールの作成や返信の際により簡便にアドレスを追加できる情報処理装置及び情報処理プログラムを提供する。【解決手段】情報処理装置は、情報を入出力する入出力部と、通信を行う通信部と、メールを格納するメール格納部と、アドレスを格納するアドレス格納部と、メールアドレスが記載された参加者情報を含む予定情報を格納する予定表格納部と、予め指定された期間である期日範囲に基づいて予定表格納部を検索して予定情報からメールアドレスを読み出し、入出力部に表示されるメール作成画面に表示させる制御部と、を備える。【選択図】図５
2015170089.tif 000002
【特許請求の範囲】
【請求項１】
情報を入出力する入出力部と、
通信を行う通信部と、
メールを格納するメール格納部と、
アドレスを格納するアドレス格納部と、
メールアドレスが記載された参加者情報を含む予定情報を格納する予定表格納部と、
予め指定された期間である期日範囲に基づいて予定表格納部を検索して前記予定情報からメールアドレスを読み出し、前記入出力部に表示されるメール作成画面に表示させる制御部と、
を備える情報処理装置。
【請求項２】
前記制御部は、
前記参加者情報にメールアドレスが記載されていない場合、前記予定情報の本文からメールアドレスを読み出す請求項１記載の情報処理装置。
【請求項３】
前記制御部は、
前記期日範囲を変更する期日範囲変更手段を前記メール作成画面に表示させる請求項１記載の情報処理装置。
【請求項４】
情報を入出力する入出力部と、
通信を行う通信部と、
メールを格納するメール格納部と、
アドレスを格納するアドレス格納部と、
メールアドレスが記載された参加者情報を含む予定情報を格納する予定表格納部と、
を備える情報処理装置を、
予め指定された期間である期日範囲に基づいて予定表格納部を検索して前記予定情報からメールアドレスを読み出す第１メールアドレス取り込み手段と、
前記予定情報から読み出した前記メールアドレスを前記入出力部に表示されるメール作成画面に表示させるアドレス表示手段と、
として機能させるための情報処理プログラム。
【請求項５】
前記情報処理装置を、
前記参加者情報にメールアドレスが記載されていない場合、前記予定情報の本文からメールアドレスを読み出す第２メールアドレス取り込み手段としてさらに機能させるための請求項４記載の情報処理プログラム。
【請求項６】
前記情報処理装置を、
前記期日範囲を変更する期日範囲変更手段を前記メール作成画面に表示させる期日範囲変更表示手段としてさらに機能させるための請求項４記載の情報処理プログラム。
【発明の詳細な説明】
【技術分野】
【０００１】
本発明の実施形態は、情報処理装置及び情報処理プログラムに関する。
【背景技術】
【０００２】
今日ではメールを送受信するメールソフトが一般に使用されるに至っている。このメールソフトは、新規にメールを作成する場合、及び受信したメールに返信する場合に宛先のメールアドレスを追加する必要があると、メールアドレスを格納するアドレス帳を開き、このアドレス帳から追加するアドレスを探し出して作成中のメールに追加する必要がある。
【０００３】
このアドレスの追加に際して、アドレス帳に多数のアドレスが格納されている場合、目的のアドレスを探すのに苦労する場合がある。
【先行技術文献】
【特許文献】
【０００４】
【特許文献１】特開２００６−１８０２７６号公報
【発明の概要】
【発明が解決しようとする課題】
【０００５】
従って、メールの作成や返信の際により簡便にアドレスを追加できる情報処理装置及び情報処理プログラムが求められている。
【課題を解決するための手段】
【０００６】
上記の課題を解決するために、本発明の一実施形態は、情報を入出力する入出力部と、通信を行う通信部と、メールを格納するメール格納部と、アドレスを格納するアドレス格納部と、メールアドレスが記載された参加者情報を含む予定情報を格納する予定表格納部と、予め指定された期間である期日範囲に基づいて予定表格納部を検索して予定情報からメールアドレスを読み出し、入出力部に表示されるメール作成画面に表示させる制御部と、を備える情報処理装置を提供する。
【図面の簡単な説明】
【０００７】
【図１】情報処理装置の構成を示すブロック図である。
【図２】メール格納部のデータ構成を示す図である。
【図３】アドレス格納部のデータ構成を示す図である。
【図４】予定表格納部のデータ構成を示す図である。
【図５】情報処理装置の制御部によるメールアドレス取得動作を示す図である。
【図６】情報処理装置が入出力部のディスプレイに表示するメール作成画面の例を示す図である。
【発明を実施するための形態】
【０００８】
以下、情報処理装置及び情報処理プログラムの一実施形態について、図面を用いて詳細に説明する。
【０００９】
図１は、本実施形態の情報処理装置１の構成を示すブロック図である。図１に示すように、情報処理装置１は、演算装置であるＣＰＵ（ｃｅｎｔｒａｌ  ｐｒｏｃｅｓｓｉｎｇ  ｕｎｉｔ）を含む制御部１０１と、メモリ、ハードディスクドライブなどの記憶装置を含む記憶部１０２と、ディスプレイ、キーボード、マウスなどの情報を入出力する入出力部１０３と、通信を行う通信部１０４と、を備える。
【００１０】
記憶部１０２は、送受信するメールを格納するメール格納部１０２Ａと、アドレスを格納するアドレス格納部１０２Ｂと、予定情報を格納する予定表格納部１０２Ｃと、を格納する。
【００１１】
また、記憶部１０２は、情報処理プログラムを格納し、制御部１０１は記憶部１０２から情報処理プログラムを順次読みだして実行する。
【００１２】
情報処理装置１は通信部１０４によって公衆通信回線網３を介してメールサーバ２に接続する。
【００１３】
図２は、メール格納部１０２Ａのデータ構成を示す図である。図２に示すように、メール格納部１０２Ａは、送受信の日時を示す日時と、送受信の別を示す送受信別と、メールの宛先を示す宛先アドレスと、メールの送信元アドレスを示す送信元アドレスと、件名と、本文と、を格納する。
【００１４】
各データの例は、日時が「２０１４０３０５１２２５」、送受信別が「受」、宛先アドレスが「ｍｂ０１＠ａｂｃｄ．ｃｏｍ」、送信元アドレスが「ｍｂ０２＠ａｂｃｄ．ｃｏｍ」、件名が「会議の件」、本文が「会議を行います。」である。なお、本文にはアドレスが含まれていることがある。
【００１５】
図３は、アドレス格納部１０２Ｂのデータ構成を示す図である。図３に示すように、アドレス格納部１０２Ｂは、宛先アドレスと、メールにおける宛先アドレスの表示名である「表示名」と、を格納する。
【００１６】
各データの例は、宛先アドレスが「ｍｂ０１＠ａｂｃｄ．ｃｏｍ」、表示名が「○島△男」である。
【００１７】
図４は、予定表格納部１０２Ｃのデータ構成を示す図である。図４に示すように、予定表格納部１０２Ｃは、予定の日時である「予定日時」と、会議等の開催者を示す「開催者」と、「件名」と、会議等の場所を示す「場所」と、「本文」と、参加者のメールアドレスを含む「参加者情報」と、を格納する。
【００１８】
各データの例は、予定日時が「２０１４０３０５１２２５」、開催者が「○島△男」、件名が「会議の件」、場所が「会議室１」、本文が「会議を行います。」、参加者情報が「ｍｂ０１＠ａｂｃｄ．ｃｏｍ」である。
【００１９】
図５は、情報処理装置１の制御部１０１によるメールアドレス取得動作を示す図である。図５に示すように、ステップ５０１において、情報処理装置１は入出力部１０３からメール作成指示を入力する。
【００２０】
ステップ５０２において、情報処理装置１は入出力部１０３からメールアドレスの取り込み指示があったかを判定する。情報処理装置１は入出力部１０３からメールアドレスの取り込み指示があったと判定した場合、ステップ５０３に進み、取り込み指示がったと判定しない場合、処理を終了して通常のメール作成動作に進む。
【００２１】
ステップ５０３において、情報処理装置１は予定表格納部１０２Ｃから予定情報を読込む。情報処理装置１は、情報処理装置１のオペレーションシステムが供給する現在日時から予め定められた日数である期日範囲の日数分だけ遡って直近の予定情報を読込む。なお、このあらかじめ定められた日数は、設定ファイルを別途設けて格納し、ユーザが変更できるように構成してもよい。
【００２２】
ステップ５０４において、情報処理装置１は予定表格納部１０２Ｃが格納する予定情報の参加者情報を抜き出し、参加者情報の中にアドレスが記載されているかを判定する。情報処理装置１は、参加者情報の中にアドレスが記載されていた場合、ステップ５０５に進み、記載されていない場合、ステップ５０６に進む。
【００２３】
なお、参加者情報にメールアドレスが記載されていない場合、予定情報の本文からメールアドレスを読み出すように構成することもできる。
【００２４】
ステップ５０５において、情報処理装置１はメールアドレスを含む参加者情報を作成中のメールに表示する。
【００２５】
ステップ５０６において、情報処理装置１は期日範囲の中に次の予定があるかを判定する。情報処理装置１は、期日範囲の中に次の予定があると判定した場合、ステップ５０３に戻って次の予定を読み出し、次の予定がないと判定した場合、処理を終了して通常のメール作成動作に進む。
【００２６】
図６は、情報処理装置１が入出力部１０３のディスプレイに表示するメール作成画面６０１の例を示す図である。図６に示すように、メール作成画面６０１は、予定情報からアドレスの取り込を指示する「アドレス取り込み」ボタン６０２と、予定情報から取り込んだアドレスを表示する「宛先の候補」欄６０３と、期日範囲変更手段として、期日範囲を広げてアドレスの再取り込を指示する「範囲を広げて探す」ボタン６０４、及び期日範囲を狭めてアドレスの再取り込を指示する「範囲を狭めて探す」ボタン６０５と、を備える。
【００２７】
情報処理装置１は、「アドレス取り込み」ボタン６０２が押下されたと判定した場合、メールアドレス取得動作を実行する。
【００２８】
情報処理装置１は、予定情報から取り込んだアドレスを「宛先の候補」欄６０３に表示する。情報処理装置１は、「宛先の候補」欄６０３に表示されたアドレスがダブルクリックなどにより指定されたと判定した場合、当該アドレスを宛先欄にコピーして貼り付ける。
【００２９】
ユーザは、「宛先の候補」欄６０３に表示されたアドレスが多すぎる場合、「範囲を狭めて探す」ボタン６０５を押下して絞り込むことができ、「宛先の候補」欄６０３に表示されたアドレスが少なすぎる場合、「範囲を広げて探す」ボタン６０４を押下してさらに情報処理装置１に取り込ませて表示させることができる。
【００３０】
従って、ユーザは直近の予定からアドレスが取り込まれて表示されるため、これらのアドレスをアドレス帳の中から探し出す手間を省くことが可能となる。
【００３１】
以上のべたように、本実施形態の情報処理装置１は、情報を入出力する入出力部１０３と、通信を行う通信部１０４と、メールを格納するメール格納部１０２Ａと、アドレスを格納するアドレス格納部１０２Ｂと、メールアドレスが記載された参加者情報を含む予定情報を格納する予定表格納部１０２Ｃと、予め指定された期間である期日範囲に基づいて予定表格納部１０２Ｃを検索して予定情報からメールアドレスを読み出し、メール作成画面６０１に表示させる制御部と、を備える。
【００３２】
従って、メールの作成や返信の際により簡便にアドレスを追加できるという効果がある。
【００３３】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３４】
１：情報処理装置
１０２Ａ：メール格納部
１０２Ｂ：アドレス格納部
１０２Ｃ：予定表格納部
【図１】
2015170089.tif 000003
【図２】
2015170089.tif 000004
【図３】
2015170089.tif 000005
【図４】
2015170089.tif 000006
【図５】
2015170089.tif 000007
【図６】
2015170089.tif 000008